(57)【特許請求の範囲】
【請求項１】
ルアー本体の後尾部に、両軸体を互いに回転自在に連結してなる回転自在ジョイントの一方の軸体が連結用リングを介して揺動自在に連結され、回転自在ジョイントの他方の軸体には、該回転自在ジョイントの中心軸線とブレード縦軸とが同軸線上に位置するようにブレードの先端部が連結用リングを介して揺動自在に連結され、これによってブレードがルアー本体の後尾部でブレード縦軸回りに回転自在となっているルアー。
【請求項２】
前記回転自在ジョイントは、一方の軸体を円筒状ケーシングの一端部に同心状に固着突出し、他方の軸体の一端部側を円筒状ケーシング内でボールを介して回転自在に支承してなるもので、両軸体には夫々前記連結用リングを通すためのリング通し孔が設けられている請求項１に記載のルアー。
【請求項３】
ルアー本体の長さ方向中央部にルアー本体を水平横方向に貫通する貫通孔が設けられている請求項１又は２に記載のルアー。
【発明の詳細な説明】
【０００１】
【発明の属する技術分野】
本発明は、釣りに使用するルアーに関するもので、特に、ルアー本体の後尾部に、回転するブレードを取り付けてなるテールスピナー（テールスピンジグ）型のルアーに関する。
【０００２】
【従来の技術】
図５は従来のテールスピナー型ルアーＲ１を示す。このルアーは、金属製ルアー本体１の後尾に、針金からなる後尾軸２をルアー本体１の縦軸に沿って一体的に突設し、この後尾軸２の両端側に球体３，３を取り付けると共に、両球体３，３間の後尾軸２部分にＵ字状アーム４の両端部を枢着し、このＵ字アーム４に、ブレード５の先端部に設けてある孔６を係入したものである。７は釣針８を取り付けるＵ字部材、９は釣糸１０を取り付けるＵ字部材である。
【０００３】
【発明が解決しようとする課題】
上記従来のルアーＲ１によれば、使用に際して、図６に示すように、ルアー本体１を水中に泳がせる時、ブレード５が後尾軸２を旋回軸としてその周囲を図示のように大きく旋回するため、この大きな旋回運動によってルアー本体１の揺れが激しくなり、またルアー本体１に比較的近い位置でブレード５が旋回するようになるため、魚が警戒してルアー本体１に近づき難かった。また、ルアー本体１を、このルアー本体１の背部前端側に取り付けてある釣糸１０で引っ張ってゆく時、上記のような後尾軸２を旋回軸とするブレード５の大きな旋回運動により、ルアー本体１の後尾側が浮き上がって、図示のように尻上がり状態に立ち上がるため、魚の種類によっては嫌悪感を魚に与えることになって、釣れ具合が良くなかった。
【０００４】
本発明は、上記のような問題点に鑑み、ルアー本体の揺れが出来るだけ小さくなるように且つルアー本体に近づく魚に出来るだけ警戒心や嫌悪感を与えないようにブレード本体を回転させると共に、ブレード本体を出来るだけ水平姿勢で泳がせ、それによって釣れ具合を良くするようにしたテールスピナー型のルアーを提供することを目的とする。
【０００５】
【課題を解決するための手段】
請求項１に係る発明のルアーは、ルアー本体１１の後尾部に、両軸体１３，１４を互いに回転自在に連結してなる回転自在ジョイント１２の一方の軸体１３が連結用リング１６を介して揺動自在に連結され、回転自在ジョイント１２の他方の軸体１４には、該回転自在ジョイント１２の中心軸線とブレード縦軸１５ｏとが同軸線上に位置するようにブレード１５の先端部が連結用リング１７を介して揺動自在に連結され、これによってブレード１５がルアー本体１１の後尾部でブレード縦軸１５ｏ回りに回転自在となっていることを特徴とする。
【０００６】
請求項２は、請求項１に記載のルアーにおいて、前記回転自在ジョイント１２は、一方の軸体１３を円筒状ケーシング２０の一端部に同心状に固着突出し、他方の軸体１４の一端部側を円筒状ケーシング２０内でボール２１を介して回転自在に支承してなるもので、両軸体１３，１４には夫々前記連結用リング１６，１７を通すためのリング通し孔２３，２４が設けられていることを特徴とする。
【０００７】
請求項３は、請求項１又は２に記載のルアーにおいて、ルアー本体１１の長さ方向中央部にルアー本体１１を水平横方向に貫通する貫通孔１９が設けられてなることを特徴とする。
【０００８】
【発明の実施の形態】
図１は本発明に係るテールスピナー型ルアーＲ１０を示す。このルアーＲ１０は、ルアー本体１１の後尾部に、両軸体１３，１４を互いに回転自在に連結してなる回転自在ジョイント１２の一方の軸体１３を、連結用リング１６を介して揺動自在に連結し、回転自在ジョイント１２の他方の軸体１４には、ブレード１５の先端部を連結用リング１７を介して揺動自在に連結し、これによってルアー本体１１の後尾部でブレード１５がブレード縦軸１５ｏ回りに自由に回転できるようにしたものである。
【０００９】
上記ルアーＲ１０の構造について更に詳しく説明すれば、ルアー本体１１は、鉛やタングステン、その他の金属、或いは樹脂、或いはまた金属と樹脂との結合材によって魚の形に形成され（魚以外の形に形成されることもある）且つ所望に着色されるもので、このルアー本体１１の後尾には、例えばステンレス製の針金からなる後尾軸１８が、ルアー本体１１の縦軸１１ｏに沿って一体的に突設され、この後尾軸１８の後端部は、リング通し用の環状部１２ａを形成している。また、このルアー本体１１の長さ方向中央部にはルアー本体１１が、図１及び図２に示すような水平横方向に貫通する貫通孔１９が設けられている。この貫通孔１９は、ルアーＲ１０の使用時に、この貫通孔１９に水が流通することによって、ルアー本体１１の横揺れを緩和する作用を有する。
【００１０】
またルアー本体１１には下腹部のほぼ中央部に、釣針８を取り付けるＵ字部材７が設けられ、ルアー本体１１の背部にはその先端側寄りの位置に、釣糸１０を取り付けるためのＵ字部材９が設けられている。
【００１１】
回転自在ジョイント１２は、図３から分かるように、一方の軸体１３を円筒状ケーシング２０の一端部に同心状に固着突出し、他方の軸体１４の一端部側を円筒状ケーシング２０内に突入させた状態でボール２１を介して回転自在に支承してなるものである。
【００１２】
回転自在ジョイント１２の一方の軸体１３は、ケーシング２０の一端部に嵌合固定された端板２２と一体に形成され、他方の軸体１４の一端部には大径のヘッド部２５が一体に形成してあって、このヘッド部２５と軸体１４とケーシング２０との間の環状空間部に複数のボール２１が介装され、このボール２１によって軸体１４がケーシング２０に対し回転自在に保持され、それによって両軸体１３，１４が同軸上で互いに回転自在に連結されている。
【００１３】
また回転自在ジョイント１２の両軸体１３，１４には夫々連結用リング１６，１７を通すためのリング通し孔２３，２４が軸体１３，１４を直径方向に貫通して設けられていて、一方の軸体１３のリング通し孔２３と前記後尾軸１８のリング通し用環状部１２ａとに連結用リング１６が通され、これによって一方の軸体１３がルアー本体１１に対し全方向に揺動自在に連結され、また他方の軸体１４のリング通し孔２４とブレード１５の先端部のリング通し孔２６とに連結用リング１６が通され、それによってブレード１５は、軸体１４に対し全方向に揺動自在に連結されると共に、ルアー本体１１の後尾部でブレード縦軸回りに回転できるようになっている。
【００１４】
尚、ブレード１５、連結用リング１６，１７、ならびに回転自在ジョイント１２を構成する軸体１３，１４、ケーシング２０及びボール２１は、夫々ステンレスにより形成されている。また、ブレード１５は、スプーン状に形成されたもので、その表面は金色、銀色、その他の光の反射し易い色で着色されている。
【００１５】
上記のように構成されるルアーＲ１０を使用するときは、ルアー本体１１の下腹部に設けてあるＵ字部材７に釣針８を取り付け、またその背部先端側寄りに取り付けてあるＵ字部材７に釣糸１０の先端部を結着して、このルアーＲ１０を釣糸１０によって水中に投げ込むと、ルアーＲ１０は、例えば、図１に示すようにブレード１５が逆立ちしたような状態でその縦軸１５ｏ回りに回転すると共に、後尾軸１８の後端部に連結された連結用リング１６を中心に揺動旋回しながら、ルアー本体１１が略水平姿勢となる。
【００１６】
このような状態から、ルアー本体１１の背部先端側寄りに取り付けた釣糸１０を引いてルアーＲ１０をほぼ一定の速度で泳がせてゆくと、図２に示すように、ルアー本体１１後尾部に回転自在ジョイント１２とその前後の連結用リング１６，１７を介して引っ張られているブレード１５は、図２の仮想線図示のように、回転自在ジョイント１２の後部軸体１４と共にブレード縦軸１５ｏ回りに矢印ａで示すように回転しながら、後尾軸１８の後端部の環状部１２ａに連結された連結用リング１６を中心に、回転自在ジョイント１２の中心軸線とブレード縦軸１５ｏとが同軸線上に位置した状態で、矢印ｂで示すように揺動旋回する。
【００１７】
上記のように、ルアー本体１１をその背部先端側寄りに取り付けられた釣糸１０で引いて水中を泳がせている時に、ブレード１５がブレード縦軸１５ｏ回りに回転しながら、後尾軸１８に連結された連結用リング１６を中心として揺動旋回すると、このブレード１５にかかる水中抵抗によってルアー本体１１の後尾部が後方へ引っ張られる状態となり、それによってルアー本体１１は略水平姿勢を維持することができる。また、上記のようなブレード１５の回転及び揺動旋回によって発生する光や微振動、連結用リング１６，１７等の金属接触音によって、魚が引きつけられるようになる。
【００１８】
このようにルアーＲ１０を水中で泳がせる時、ブレード１５がルアー本体１１の後尾部でブレード縦軸１５ｏの回りを回転しながら揺動旋回するが、このようなブレード１５の回転及び揺動旋回運動によってルアー本体１１が若干揺れることはあっても、大きく揺れることはないため、ルアー本体１１に近づこうとする魚に嫌悪感や恐怖感を与えることはなく、むしろそのような回転及び僅かな揺動旋回運動が魚の好むアクションとなる。また、ブレード１５がルアー本体１１の後尾部から回転自在ジョイント１２及びこれの両端部の連結用リング１６，１７を介して後方へ十分隔たった位置で上記のような回転及び揺動旋回運動を行い、しかもルアー本体１１が略水平姿勢で泳ぐようになっているから、ルアー本体１１に近づく魚に対して嫌悪感や恐怖感を与えることがない。従って、ルアー本体１１に魚が寄って来易くなって、よく釣れることになる。
【００１９】
また、このルアーＲ１０では、回転自在ジョイント１２の一方の軸体１３が、ルアー本体１１の後尾軸１８に対し、連結用リング１６を介して全方向に揺動自在に連結され、また回転自在ジョイント１２の他方の軸体１４に対し、ブレード１５の先端部が連結用リング１７を介して全方向に揺動自在に連結されていて、ルアー本体１１に対するブレード１５の自由度が非常に大きいから、ブレード１５の回転及び揺動旋回が容易となり、従ってルアーＲ１０を釣糸１０によって水中に投げ込むと、ルアー本体１１とブレード１５とがどの様な位置関係にあっても、ブレード１５が直ぐに回り始め、揺動旋回し始めるようになる。即ち、ブレード１５の回り出しが良くなる。これによって、ルアーＲ１０への魚の引きつけ（誘引）を早めることができる。
【００２０】
また、このルアーＲ１０では、回転自在ジョイント１２が、一方の軸体１３を円筒状ケーシング２０の一端部に同心状に固着突出し、他方の軸体１４の一端部側を円筒状ケーシング２０内に突入させた状態でボール２１を介して回転自在に支承してなる構造であるから、ブレード１５の回転が容易で、非常に滑らかとなり、このブレード１５の回転に伴うルアー本体１１の揺れを最小限に抑えることができる。
【００２１】
また、ルアー本体１１の長さ方向中央部に、ルアー本体１１を水平横方向に貫通する貫通孔１９が設けてあることから、ルアーＲ１０を水中で泳がせる時に、この貫通孔１９を水が流通することによって、ルアー本体１１の横揺れが小さくなって、よく釣れるようになる。
【００２２】
以上の実施形態では、ルアー本体１１の後尾に針金によって後尾軸１８を突設し、この後尾軸１８の後端部に回転自在ジョイント１２の軸体１３を連結用リング１６で連結しているが、このような後尾軸１８を設けることなく、ルアー本体１１の後尾部分に回転自在ジョイント１２の軸体１３を連結用リング１６を介して連結するようにしてもよい。
【００２３】
【発明の効果】
請求項１に係る発明のルアーは、ルアー本体の後尾部に、両軸体を互いに回転自在に連結してなる回転自在ジョイントの一方の軸体を連結用リングを介して揺動自在に連結し、回転自在ジョイントの他方の軸体に、該回転自在ジョイントの中心軸線とブレード縦軸とが同軸線上に位置するようにブレードの先端部を連結用リングを介して揺動自在に連結したことにより、ルアー本体をその背部先端側寄りに取付けた釣糸で引っ張って水中で泳がせる時に、ブレードがルアー本体の後尾部でブレード縦軸回りに回転しながら揺動旋回し、このブレードの回転及び揺動旋回に伴ってブレードにかかる水の抵抗により、ルアー本体後尾部が後方へ引っ張られる状態となって、ルアー本体は略水平姿勢を維持することができる。また、上記のようなブレードの回転運動及び揺動旋回運動が魚の好むアクションとなり、またブレードがルアー本体の後尾部から回転自在ジョイント及びこれの両端部の連結用リングを介して後方へ隔たった位置で上記のような回転及び揺動旋回運動を行い、しかもルアー本体が略水平姿勢で泳ぐようになるから、ルアー本体に近づく魚に対して嫌悪感や恐怖感を与えることがなくなる。従って、ルアー本体に魚が寄って来易くなって、よく釣れるようになる。
【００２４】
また、本体に対するブレードの自由度が非常に大きいから、ブレードの回転及び揺動旋回が容易で、その回り出しが良くなり、従ってルアーを釣糸によって水中に投げ込むと、ルアー本体とブレードとがどの様な位置関係にあっても、ブレードが直ぐに回り始め、ルアーへの魚の引きつけを早めることができる。
【００２５】
請求項２に記載のように、回転自在ジョイントが、一方の軸体を円筒状ケーシングの一端部に同心状に固着突出し、他方の軸体の一端部側をケーシング内に突入させた状態でボールを介して回転自在に支承してなる構成とすれば、ブレードの回転が容易で、非常に滑らかとなり、ブレードの回転に伴うルアー本体の揺れを最小限に抑えることができる。
【００２６】
請求項３に記載のように、ルアー本体の長さ方向中央部に、ルアー本体を水平横方向に貫通する貫通孔を設けるようにすれば、ルアーを水中で泳がせる時に、この貫通孔を水が流通することによって、ルアー本体の横揺れが小さくなり、それによってよく釣れるようになる。
【図面の簡単な説明】
【図１】  本発明に係るテールスピナー型のルアーを示す斜視図である。
【図２】  同上のルアーを水中で泳がせている状態を示す側面図である。
【図３】  回転自在ジョイントの拡大縦断面図である。
【図４】  図２のＸ−Ｘ線拡大断面図である。
【図５】  従来のテールスピナー型ルアーを示す斜視図である。
【図６】  同従来のルアーを泳がせている状態を示す側面図である。
【符号の説明】
Ｒ１                  従来のルアー
Ｒ１０                本発明のルアー
７                    Ｕ字部材
８                    釣針
９                    Ｕ字部材
１０                  釣糸
１１                  ルアー本体
１２                  回転自在ジョイント
１３，１４            軸体
１５                  ブレード
１６，１７            連結用リング
１８                  ルアー本体の後尾軸
１９                  貫通孔
２０                  回転自在ジョイントのケーシング
２１                  ボール
２３，２４            リング通し孔
【図１】
0004723136.tif 000002
【図２】
0004723136.tif 000003
【図３】
0004723136.tif 000004
【図４】
0004723136.tif 000005
【図５】
0004723136.tif 000006
【図６】
0004723136.tif 000007